(57)【要約】【課題】本発明は、例えば、光ファイバ用のコネクタに嵌合されるプラグに関し、このプラグをワンタッチで抜きやすくし、更に、高密度実装に適した形抜き治具付プラグを提供することが課題である。【解決手段】アダプタに嵌合されるプラグにおいて、前記アダプタ側に設けられている弾性係止片をテーパ部で拡開させると共に段差部で係止させる係合部が前記プラグの本体であるプラグハウジングの先端部に設けられ、前記係合部に隣接する位置に設けられる係止解除片３ａであって、該係止解除片の後端部に前記弾性係止片の係止作用を解除させるテーパ部３ｂが設けられていると共に前記プラグハウジング２を囲繞して挿抜方向に沿って移動自在な抜去ツマミ３に延設されて一体にされている形抜き治具付プラグ１とする。【選択図】  図１
2005017602.tif 000002
【特許請求の範囲】
【請求項１】
アダプタに嵌合されるプラグにおいて、前記アダプタ側に設けられている弾性係止片をテーパ部で拡開させると共に段差部で係止させる係合部が前記プラグの本体であるプラグハウジングの先端部に設けられ、
前記係合部に隣接する位置に設けられる係止解除片であって、該係止解除片の後端部に前記弾性係止片の係止作用を解除させるテーパ部が設けられていると共に前記プラグハウジングを囲繞して挿抜方向に沿って移動自在な抜去ツマミに延設されて一体にされていること、
を特徴とする抜き治具付きプラグ。
【請求項２】
プラグハウジングと抜去ツマミとの間には、挿抜方向における相対的移動を規制するストッパー手段が設けられ、
当該ストッパー手段により、
前記プラグをアダプタに嵌合させる際には、前記プラグハウジングと抜去ツマミとが同時に挿入方向に移動し、
前記プラグをアダプタから抜去させる際には、抜去ツマミの係止解除片で弾性係止片の係止作用を解除させた後に、前記プラグハウジングと抜去ツマミとが同時に抜去方向に移動するように位置決めされること、
を特徴とする請求項１に記載の抜き治具付きプラグ。
【請求項３】
抜去ツマミに被嵌されると共に係止されていて、抜去方向に前記抜去ツマミを移動させてプラグを抜去させることができるプルタブが設けられていること、
を特徴とする請求項１に記載の抜き治具付きプラグ。
【発明の詳細な説明】
【０００１】
【発明の属する技術分野】
本発明は、抜き治具付きプラグに係り、詳しくは、主に光ファイバ用のコネクタに嵌合されるプラグを、ワンタッチで抜きやすくし、更に、実装密度を上げた抜き治具付きプラグに関する。
【０００２】
【従来の技術】
従来において、光ファイバー用のコネクタで、例えば、ＳＣ形光コネクタに嵌合されるケーブル用プラグは、実装密度を上げるために、プラグ抜去用の部品を削除して高さが高くならないようにしている。
【０００３】
よって、嵌合させた前記プラグをコネクタから抜去させるには、別体の専用工具が必要であって、使い勝手上で不便であった。そこで、抜き治具付プラグが提案されて知られている（例えば、特許文献１参照。）。
【０００４】
【特許文献１】
実用新案登録第２５７９８７０号公報（第２−４頁、第１図）
【０００５】
【発明が解決しようとする課題】
しかしながら、この場合でも、アダプタからプラグを抜き取るには、▲１▼抜き治具を抜き取り方向とは逆方向に押し込み、アダプタロックを解除する、▲２▼その状態を維持しながらプラグを引いて、アダプタから抜き取る、という２アクションの抜き取り動作が必要である。また、この抜き治具部は多数の部品から構成されて、その組立工数も多く掛かり、製作コストが嵩むものである。本発明に係る抜き治具付きプラグはこのような課題を解決するために提案されたものである。
【０００６】
【課題を解決するための手段】
上記課題を解決するために、本発明に係る抜き治具付きプラグの要旨は、アダプタに嵌合されるプラグにおいて、前記アダプタ側に設けられている弾性係止片をテーパ部で拡開させると共に段差部で係止させる係合部が前記プラグの本体であるプラグハウジングの先端部に設けられ、前記係合部に隣接する位置に設けられる係止解除片であって、該係止解除片の後端部に前記弾性係止片の係止作用を解除させるテーパ部が設けられていると共に前記プラグハウジングを囲繞して挿抜方向に沿って移動自在な抜去ツマミに延設されて一体にされていることである。
【０００７】
前記プラグハウジングと抜去ツマミとの間には、挿抜方向における相対的移動を規制するストッパー手段が設けられ、当該ストッパー手段により、前記プラグをアダプタに嵌合させる際には、前記プラグハウジングと抜去ツマミとが同時に挿入方向に移動し、前記プラグをアダプタから抜去させる際には、抜去ツマミの係止解除片で弾性係止片の係止作用を解除させた後に、前記プラグハウジングと抜去ツマミとが同時に抜去方向に移動するように位置決めされること、；
また、前記抜去ツマミに被嵌されると共に係止されていて、抜去方向に前記抜去ツマミを移動させてプラグを抜去させることができるプルタブが設けられていること、；
を含むものである。
【０００８】
本発明に係る抜き治具付きプラグによれば、係止解除片と一体の抜去ツマミを挿抜方向のうちの抜去方向に引くだけで、プラグハウジングをアダプタから抜去させることができる。また、前記抜去ツマミとプラグハウジングとの相対的移動を規制するストッパー手段により、プラグハウジングがスムーズにアダプタに挿抜されるようになる。前記プルタブにより、高密度にしてプラグが配設された場合で、その内の中央部分のプラグに周囲のプラグが邪魔をして直接指が届かない場合でも、嵌合位置から離れた位置のプルタブの端部を引っ張ることで、目的のプラグをアダプタから抜去させることができる。
【０００９】
【発明の実施の形態】
次に、本発明に係る抜き治具付きプラグ１について、図面を参照して説明する。なお、前記抜き治具付きプラグ１は、主に、光ケーブル用のコネクタに嵌合されるプラグとして説明するが、光ケーブルの分野に限らず、通常の電気コネクタや同軸ケーブル用コネクタ等、特に限定することなく本発明の要旨を変更しない範囲で、あらゆるアダプタとプラグ等の接続構造に適用できるものである。
【００１０】
前記抜き治具付きプラグ１は、図１に示すように、嵌合相手方であるアダプタ側（図５参照）に設けられている弾性係止片１５を、テーパ部２ａで拡開させると共に段差部２ｂで係止させる係合部２ｃが、前記プラグ１の本体である合成樹脂製のプラグハウジング２の先端部で、その上下２箇所に設けられている。
【００１１】
前記係合部２ｃに隣接する位置に、図１に示す例では両側に分かれた係合部２ｃ，２ｃの中間部に、係止解除片３ａが設けられている。これは、前記弾性係止片１５と係合部２ｃとの係止関係を解除するための係止片である。
【００１２】
前記係止解除片３ａの後端部に、前記弾性係止片１５の係止作用を解除させるテーパ部３ｂが設けられていると共に、当該後端部から延設部３ｄが延設されていて、前記プラグハウジング２の外殻を囲繞して挿抜方向に沿って移動自在な抜去ツマミ３と前記係止解除片３ａとが一体に形成されている。
【００１３】
前記プラグハウジング２と抜去ツマミ３との間には、挿抜方向における相対的移動を規制する金属製又は合成樹脂製のストッパー手段であるストッパー４が設けられている。ストッパー４は、前記プラグハウジング２の上部に固着されており、その上部４ａがプラグハウジング２の上面から突出し、抜去ツマミ３の上部開口部３ｃに遊嵌されるている。
【００１４】
前記ストッパー４により、前記プラグ１を相手方のアダプタ８に嵌合させる際には、前記プラグハウジング２と抜去ツマミ３とが同時に挿入方向（図１において、左方向）に移動し、前記プラグ１をアダプタ８から抜去させる際には、抜去ツマミ３の係止解除片３ａで弾性係止片１５の係止作用を解除させた後に、前記プラグハウジング２と抜去ツマミ３とが同時に抜去方向（図１において右方向）に移動するように位置決めされる。
【００１５】
前記プラグハウジング２と抜去ツマミ３とは、図２乃至図４に示すように、合成樹脂製で形成されて、全体が矩形状で先端部が円筒状の嵌合部を有するプラグ框体１ａとなるものである。
【００１６】
なお、図１に示すように、符号５は光ファイバー接続用のフェルールを示し、符号６は、前記フェルール５を保持するフランジを示し、符号７は前記フランジ６を常に嵌合・接合方向に付勢するコイルバネを示している。前記ストッパー４の下部４ｂが、前記フランジ６の凹部６ａに遊嵌状態で入り込んでいて、コイルバネ７によって付勢されるフランジ６が挿入方向へ抜け出すのを防止している。
【００１７】
このように、ストッパー４は、フランジ６及びフェルール５の抜け出し防止部材を兼用している。よって、別途に抜出し防止部材を用意する必要がなく、部品点数を削減させてコスト低減となっている。また、組立時においては、プラグハウジング２と抜去ツマミ３とを嵌装させたストッパー４を半径方向の途中まで差し込んで仮組し、結線時に所望量押し込んで、フランジ６の挿抜方向の移動に差し支えないようにして、下部４ｂを凹部６ａに遊嵌させるものである。
【００１８】
このような本発明に係る抜き治具付きプラグ１により、相手方のアダプタ８に嵌合させ、または、抜去させる方法を説明する。まず、図５（Ａ）に示すように嵌合時においては、挿入方向に抜去ツマミ３を押し込むと、開口部３ｃの片側壁面がストッパー４の上部４ａに当接して、挿入方向の位置決めがされて、プラグハウジング２と抜去ツマミ３とが一緒に挿入方向に移動する。
【００１９】
プラグハウジング２の先端部の係合部２ｃにおけるテーパ部２ａが、弾性係止片１５の係止部１５ａに摺接してこれを弾性力に抗して外側に拡開させる。
そして、図５（Ｂ）に示すように、前記係止部１５ａが、係合部２ｃの上面に乗り、そのまま移動する。係止解除片３ａは、前記係合部２ｃとともに移動し、前記係止部１５ａの内側に入り込む。
【００２０】
やがて、図５（Ｃ）に示すように、係止部１５ａが係合部２ｃの段差部２ｂに至ると、拡開された弾性反発力により内側に落ち込んで係止する。これにて、プラグ１の嵌合が完了する。
【００２１】
次に、前記プラグ１をアダプタ８から抜去させる場合には、図６（Ａ）に示すように、プラグ１の抜去ツマミ３を指で掴み抜去方向に引っ張る。前記抜去ツマミ３は、最初、図５（Ｃ）に示す状態から図６（Ａ）に示す状態になり、プラグハウジング２に対して、抜去方向に移動している。開口部３ｃの右壁面がストッパー４の右側面に当接していたのが、開口部３ｃの左壁面がストッパー４の左側面に当接するようになったことで、明かである。
【００２２】
前記抜去ツマミ３の抜去方向への移動で、係止解除片３ａのテーパ部３ｂの作用により、アダプタ８側の弾性係止片１５の係止部１５ａが、弾性力に抗して外側に拡開される。なお、プラグハウジング２は、段差部２ｂが係止部１５ａに係止されているので、抜去方向に移動できないものである。
【００２３】
そして、図６（Ｂ）に示すように、抜去ツマミ３がストッパー４に当接するまで抜去方向に移動すると、係止部１５ａが外側に拡開されて前記段差部２ｂとの係止作用も解除される。よって、抜去ツマミ３を抜去方向に移動させると、ストッパー４で押されてプラグハウジング２も一緒に移動する。
【００２４】
こうして、図６（Ｃ）に示すように、外側に拡開されていた係止部１５ａがテーパ部２ａに沿って当接しながら弾性反発力で元の位置に戻り、プラグハウジング２と抜去ツマミ３とがアダプタ８から抜去される。前記抜去ツマミ３を、抜去方向に引くだけで、プラグ１をアダプタ８から抜去させることができるものである。
【００２５】
次に、本発明の他の実施例に係るもので、多数個のプラグが、例えば、格子状に密集して配設されて、格子状の中央部分のプラグに指が直接掛けられない場合があり、そのような場合に、抜去ツマミ３を間接的に引くことができるようにプルタブ９を使用する例である。
【００２６】
前記プルタブ９は、図７乃至図８に示すように、全体が合成樹脂製で、先端側に抜去ツマミ３の外殻に被嵌されるカバー部９ａと、係止突起９ｂとが設けられ、先端部から中央部にプラグ１のブーツ１０に被嵌される取付部９ｃと、後端部に設けられるプル部９ｄとから構成されている。
【００２７】
前記プルタブ９を、図８に示すように、抜去ツマミ３に前記係止突起９ｂを係止させて、プラグ１に装着するものである。この状態のまま、プラグ１を相手方のアダプタ８に嵌合させる。例えば、格子状に密集して配設されたプラグのうち、前記プラグ１を抜去させるには、指で掴むことのできる前記プルタブ９のプル部９ｄを掴んで、これを抜去方向に引くことで、抜去ツマミ３が引っ張られて、アダプタ８の弾性係止片１５との係止作用が解除され、当該プラグ１がアダプタ８から、容易に抜去されるものである。
【００２８】
以上のように、抜き治具付きプラグ１として説明したが、更に、図９に示すように、光伝送用の減衰器１６として、フェルール５に減衰膜やフィルタ膜、減衰ファイバ等を組み込んで、光伝送路の途中に着脱自在に接続することができるものである。この減衰器１６同士を首尾連接させることもできる。
【００２９】
【発明の効果】
上記説明したように、本発明に係る抜き治具付きプラグは、アダプタに嵌合されるプラグにおいて、前記アダプタ側に設けられている弾性係止片をテーパ部で拡開させると共に段差部で係止させる係合部が前記プラグの本体であるプラグハウジングの先端部に設けられ、前記係合部に隣接する位置に設けられる係止解除片であって、該係止解除片の後端部に前記弾性係止片の係止作用を解除させるテーパ部が設けられていると共に前記プラグハウジングを囲繞して挿抜方向に沿って移動自在な抜去ツマミに延設されて一体にされているので、前記抜去ツマミを掴んで抜去方向に引くだけで、プラグをアダプタから抜くことができて、一度の操作で容易にプラグを抜去させることができると言う優れた効果を奏するものである。また、係止解除片が抜去ツマミに一体に形成されてプラグの部品高さが嵩張らないので、高密度実装に適している。更に、専用の抜き治具に較べて部品点数が少なく、合成樹脂製で一体物として低コストで製作することができる。
【００３０】
前記プラグハウジングと抜去ツマミとの間には、挿抜方向における相対的移動を規制するストッパー手段が設けられ、当該ストッパー手段により、前記プラグをアダプタに嵌合させる際には、前記プラグハウジングと抜去ツマミとが同時に挿入方向に移動し、前記プラグをアダプタから抜去させる際には、抜去ツマミの係止解除片で弾性係止片の係止作用を解除させた後に、前記プラグハウジングと抜去ツマミとが同時に抜去方向に移動するように位置決めされるので、プラグの嵌合及び嵌合係止解除が確実に行われ、挿抜作用がスムーズに行われる。
【００３１】
前記抜去ツマミに被嵌されると共に係止されていて、抜去方向に前記抜去ツマミを移動させてプラグを抜去させることができるプルタブが設けられているので、アダプタが高密度に配設されていても、それに嵌合されたプラグを容易に抜去させることが可能となる。
【図面の簡単な説明】
【図１】本発明に係る抜き治具付きプラグ１の一部を半断面にして示す正面図（Ａ）、同平面図（Ｂ）、側面図（Ｃ）である。
【図２】同本発明に係る抜き治具付きプラグ１のプラグ框体１ａの斜視図である。
【図３】同本発明に係る抜き治具付きプラグ１におけるプラグハウジング２の斜視図である。
【図４】同本発明に係る抜き治具付きプラグ１における抜去ツマミ３の斜視図である。
【図５】同本発明に係る抜き治具付きプラグ１の嵌合時の説明図（Ａ），（Ｂ），（Ｃ）である。
【図６】同本発明に係る抜き治具付きプラグ１の抜去時の説明図（Ａ），（Ｂ），（Ｃ）である。
【図７】プルタブ９の平面図（Ａ）、同正面図（Ｂ）、側面図（Ｃ）である。
【図８】本発明に係る抜き治具付きプラグ１にプルタブ９を装着した際の、平面図（Ａ）、正面図（Ｂ）、側面図（Ｃ）である。
【図９】抜け治具を減衰器１６に適用した例の、平断面図（Ａ）、正面図（Ｂ）、左右側面図（Ｃ），（Ｄ）である。
【符号の説明】
１        抜き治具付きプラグ、  ２          プラグハウジング、
２ａ      テーパ部、            ２ｂ        段差部、
２ｃ      係合部、              ３          抜去ツマミ、
３ａ      係止解除片、          ３ｂ        テーパ部、
３ｃ      開口部、              ４          ストッパー、
５        フェルール、          ６          フランジ、
７        コイルバネ、          ８          アダプタ、
９        プルタブ、            ９ａ        カバー部、
９ｂ      係止突起、            ９ｃ        取付部、
９ｄ      プル部、              １０        ブーツ、
１５      弾性係止片、          １５ａ      係止部、
１６      減衰器。
【図１】
2005017602.tif 000003
【図２】
2005017602.tif 000004
【図３】
2005017602.tif 000005
【図４】
2005017602.tif 000006
【図５】
2005017602.tif 000007
【図６】
2005017602.tif 000008
【図７】
2005017602.tif 000009
【図８】
2005017602.tif 000010
【図９】
2005017602.tif 000011